(57)【要約】【課題】室内の空気の冷却および加熱を効率よく行うことができる空調機およびその制御方法を提供する。【解決手段】室内ユニット３を通過する内気の流れる方向において室内熱交換器６の下流側に再熱用熱交換器７を設置して、再熱除湿運転の際に圧縮機９で圧縮される冷媒を再熱用熱交換器７に供給して、再熱用熱交換器７で内気に熱を奪われた冷媒を室外熱交換器４に供給して、室外熱交換器４で外気に熱を奪われた冷媒を膨張弁１４で減圧させた後に室内熱交換器６に供給する。【選択図】図１
2019158311.tif 000002
【特許請求の範囲】
【請求項１】
冷媒を圧縮する圧縮機と、冷媒を減圧させる膨張弁と、室外ユニットに設置されていて冷媒と外気との間で熱交換を行う室外熱交換器と、室内ユニットに設置されていて冷媒と内気との間で熱交換を行う室内熱交換器および再熱用熱交換器とを備えるヒートポンプ式の空調機において、
前記室内ユニットを通過する内気の流れる方向において前記室内熱交換器の下流側に設置される構成を前記再熱用熱交換器が有していて、
前記圧縮機で圧縮される冷媒を前記再熱用熱交換器に供給する第一ラインと、
前記再熱用熱交換器から排出される冷媒を前記室外熱交換器に供給する第二ラインと、
前記室外熱交換器と前記室内熱交換器とを連通するとともに途中部分に前記膨張弁を設置される第三ラインと、
前記室内熱交換器から排出される冷媒を前記圧縮機に供給する第四ラインとを備えることを特徴とする空調機。
【請求項２】
前記再熱用熱交換器から排出される冷媒を前記室内熱交換器に供給する第五ラインと、前記室外熱交換器と前記圧縮機とを連通する第六ラインとを備える請求項１に記載の空調機。
【請求項３】
冷媒の流路を切り替える切替機構を備えていて、
前記切替機構により、
前記圧縮機から排出される冷媒が前記第一ラインと前記再熱用熱交換器と前記第二ラインと前記室外熱交換器と前記第三ラインと前記室内熱交換器と前記第四ラインとを順番に経由して前記圧縮機に流れる再熱除湿運転の状態と、
前記圧縮機から排出される冷媒が前記第一ラインと前記再熱用熱交換器と前記第五ラインと前記室内熱交換器と前記第三ラインと前記室外熱交換器と前記第六ラインとを順番に経由して前記圧縮機に流れる暖房運転の状態とを、切り替え可能に構成される請求項２に記載の空調機。
【請求項４】
冷媒を圧縮する圧縮機と、冷媒を減圧させる膨張弁と、室外ユニットに設置されていて冷媒と外気との間で熱交換を行う室外熱交換器と、室内ユニットに設置されていて冷媒と内気との間で熱交換を行う室内熱交換器および再熱用熱交換器とを備えるヒートポンプ式の空調機の制御方法において、
前記室内ユニットを通過する内気の流れる方向において前記室内熱交換器の下流側に前記再熱用熱交換器を設置して、
再熱除湿運転の際に、前記圧縮機で圧縮される冷媒を前記再熱用熱交換器に供給して、前記再熱用熱交換器で内気に熱を奪われた冷媒を前記室外熱交換器に供給して、前記室外熱交換器で外気に熱を奪われた冷媒を前記膨張弁で減圧させた後に前記室内熱交換器に供給することを特徴とする制御方法。
【請求項５】
暖房運転の際に、前記圧縮機で圧縮される冷媒を前記再熱用熱交換器に供給して、前記再熱用熱交換器で内気に熱を奪われた冷媒を前記室内熱交換器に供給して、前記室内熱交換器で内気に熱を奪われた冷媒を前記膨張弁で減圧させた後に前記室外熱交換器に供給する請求項４に記載の制御方法。
【請求項６】
暖房運転の際に、前記再熱用熱交換器から排出される冷媒を減圧することなく全量を前記室内熱交換器に供給する請求項５に記載の制御方法。
【発明の詳細な説明】
【技術分野】
【０００１】
本発明はヒートポンプ式の空調機およびその制御方法に関するものであり、詳しくは室内の空気の冷却および加熱を効率よく行うことができる空調機およびその制御方法に関するものである。
【背景技術】
【０００２】
ヒートポンプ式の空調機が種々提案されている（たとえば特許文献１参照）。特許文献１は、室内ユニットに設置される二つの熱交換器と、この熱交換器の間に配置される膨張弁とを備える空調機を提案する。この空調機は再熱除湿運転の際に、圧縮機で高温高圧とした冷媒を室外機の熱交換器に供給して室外の空気（以下、外気ということがある）で冷却した後に、室内機に設置される再熱用の熱交換器に供給して室内の空気（以下、内気ということがある）を加熱していた。その後、再熱用の熱交換器から排出された冷媒を膨張弁で減圧させた後に室内機に設置される熱交換器に供給して内気を冷却していた。
【０００３】
文献１に記載の空調機は、再熱用の熱交換器に供給される冷媒が内気を加熱する前に外気で冷却されるため、内気の加熱を効率よく行えない不具合があった。また内気の加熱を効率よく行うために外気による冷媒の冷却を抑制すると、空調機を循環する冷媒の温度が全体的に高くなり凝縮圧力が上昇する。凝縮圧力が上昇すると圧縮機で必要となる軸動力が増加するので、空調機のエネルギ効率が低下する不具合があった。冷媒の凝縮圧力の上昇にともない圧縮機の軸動力が増加するので、空調機における絞り膨張過程がより大きなエンタルピーから行われる。これにより蒸発過程が短くなるので室内機の熱交換器で内気を冷却する際の冷却を効率よく行えない不具合が発生していた。
【０００４】
つまり文献１に記載の空調機は、再熱除湿運転の際に内気の加熱または冷却のいずれかの効率が低下する不具合があり、空調機の効率がよくなかった。
【先行技術文献】
【特許文献】
【０００５】
【特許文献１】日本国特開２０１１−１１２３２７号公報
【発明の概要】
【発明が解決しようとする課題】
【０００６】
本発明は上記の問題を鑑みてなされたものであり、その目的は室内の空気の冷却および加熱を効率よく行うことができる空調機およびその制御方法を提供することにある。
【課題を解決するための手段】
【０００７】
上記の目的を達成する空調機は、冷媒を圧縮する圧縮機と、冷媒を減圧させる膨張弁と、室外ユニットに設置されていて冷媒と外気との間で熱交換を行う室外熱交換器と、室内ユニットに設置されていて冷媒と内気との間で熱交換を行う室内熱交換器および再熱用熱交換器とを備えるヒートポンプ式の空調機において、前記室内ユニットを通過する内気の流れる方向において前記室内熱交換器の下流側に設置される構成を前記再熱用熱交換器が有していて、前記圧縮機で圧縮される冷媒を前記再熱用熱交換器に供給する第一ラインと、前記再熱用熱交換器から排出される冷媒を前記室外熱交換器に供給する第二ラインと、前記室外熱交換器と前記室内熱交換器とを連通するとともに途中部分に前記膨張弁を設置される第三ラインと、前記室内熱交換器から排出される冷媒を前記圧縮機に供給する第四ラインとを備えることを特徴とする。
【０００８】
上記の目的を達成する空調機の制御方法は、冷媒を圧縮する圧縮機と、冷媒を減圧させる膨張弁と、室外ユニットに設置されていて冷媒と外気との間で熱交換を行う室外熱交換器と、室内ユニットに設置されていて冷媒と内気との間で熱交換を行う室内熱交換器および再熱用熱交換器とを備えるヒートポンプ式の空調機の制御方法において、前記室内ユニットを通過する内気の流れる方向において前記室内熱交換器の下流側に前記再熱用熱交換器を設置して、再熱除湿運転の際に、前記圧縮機で圧縮される冷媒を前記再熱用熱交換器に供給して、前記再熱用熱交換器で内気に熱を奪われた冷媒を前記室外熱交換器に供給して、前記室外熱交換器で外気に熱を奪われた冷媒を前記膨張弁で減圧させた後に前記室内熱交換器に供給することを特徴とする。
【発明の効果】
【０００９】
本発明によれば、圧縮機で圧縮されて過熱状態の冷媒（過熱蒸気）を再熱用熱交換器に供給できるので効率よく内気を加熱できる。また室外熱交換器で冷却されて飽和状態の冷媒（飽和液）を膨張弁で減圧した後に室内熱交換器に供給できるので効率よく内気を冷却できる。再熱除湿運転の際に室内機において内気の加熱と冷却とのいずれも効率よく行うことができるので、空調機の効率を向上するには有利である。
【図面の簡単な説明】
【００１０】
【図１】本発明の空調機を例示する説明図である。
【図２】図１に例示する空調機の変形例を例示する説明図である。
【図３】図２に例示する空調機の冷房運転の状態を例示する説明図である。
【図４】本発明の別の実施形態の空調機を例示する説明図である。
【図５】図４に例示する空調機の再熱除湿運転の状態を例示する説明図である。
【図６】図４に例示する空調機の暖房運転の状態を例示する説明図である。
【図７】図４に例示する空調機の冷房運転の状態を例示する説明図である。
【発明を実施するための形態】
【００１１】
以下、本発明の空調機およびその制御方法を図に示した実施形態に基づいて説明する。
【００１２】
図１に例示するように本発明のヒートポンプ式の空調機１は、室外に配置される室外ユニット２と、室内に配置される室内ユニット３とを備えている。室外ユニット２には、外気（室外の空気）と冷媒との間で熱交換を行う室外熱交換器４と、この室外熱交換器４に外気を供給するための室外送風機５とが設置されている。図１では説明のため外気の流れる方向を白抜き矢印で示している。
【００１３】
室内ユニット３には、内気（室内の空気）と冷媒との間で熱交換を行う室内熱交換器６および再熱用熱交換器７と、この室内熱交換器６等に内気を供給するための室内送風機８とが設置されている。図１では説明のため内気の流れる方向を白抜き矢印で示している。
【００１４】
室内ユニット３の内部を通過する内気の流れる方向において、室内熱交換器６の下流側に再熱用熱交換器７が設置されている。つまり室内ユニット３の内部に導かれる内気は、室内熱交換器６と接触した後に再熱用熱交換器７と接触する。
【００１５】
空調機１は、冷媒を圧縮する圧縮機９と、この圧縮機９と再熱用熱交換器７とを連通する第一ライン１０と、再熱用熱交換器７と室外熱交換器４とを連通する第二ライン１１と、室外熱交換器４と室内熱交換器６とを連通する第三ライン１２と、室内熱交換器６と圧縮機９とを連通する第四ライン１３とを備えている。第三ライン１２の途中部分には膨張弁１４が設置されている。第一ライン１０、第二ライン１１、第三ライン１２および第四ライン１３は、パイプなどで構成される冷媒の流路を表している。
【００１６】
図１に例示する実施形態の空調機１は、再熱除湿運転を行うことができる。図１では説明のため冷媒の流れる方向を矢印で示している。
【００１７】
空調機１が再熱除湿運転を行う際にはまず冷媒が圧縮機９で圧縮されて高温高圧の過熱蒸気となり、第一ライン１０を経由して再熱用熱交換器７に供給される。再熱用熱交換器７は冷媒の熱を利用して内気を加熱する。再熱用熱交換器７で熱を奪われた冷媒は、第二ライン１１を経由して室外熱交換器４に供給される。室外熱交換器４では、冷媒が外気により冷却される。再熱用熱交換器７および室外熱交換器４で熱を奪われる過程で、冷媒は過熱蒸気から飽和蒸気となり更に熱を奪われて液化して飽和液となる。室外熱交換器４で熱を奪われて飽和液となる冷媒は、第三ライン１２を経由して室内熱交換器６に供給される。冷媒は第三ライン１２の途中の膨張弁１４により減圧されて低温低圧の湿り蒸気となる。室内熱交換器６はこの冷媒を利用して内気を冷却して、内気の中の水分を凝縮させることで除湿を行う。室内熱交換器６で内気から熱を吸収して気化した冷媒は第四ライン１３を経由して圧縮機９に供給される。冷媒は前述のとおり空調機１の内部を循環する構成を有している。
【００１８】
室内ユニット３に導入される内気は、まず室内熱交換器６で冷却されて除湿された後に、再熱用熱交換器７で加熱されて室内ユニット３から排出される。冷却された内気を加熱してから排出するので、空調機１は室内の温度を保ったまま除湿を行うことができる。
【００１９】
本発明によれば圧縮機９と再熱用熱交換器７とは第一ライン１０により直接的に連通される。また第一ライン１０の途中部分には冷媒から熱を奪う機器等が一切配置されていない。圧縮機９で圧縮されて高温となった過熱状態の冷媒は再熱用熱交換器７に直ちに供給される。この再熱用熱交換器７に供給される冷媒（過熱蒸気）は、空調機１の内部を循環する間で最も高温となっている状態である。そのため再熱用熱交換器７で内気を効率よく加熱するには有利である。
【００２０】
また再熱用熱交換器７と室外熱交換器４とで冷却された後に減圧されて低温低圧の湿り蒸気となった冷媒が室内熱交換器６に供給される。この室内熱交換器６に供給される冷媒は、空調機１の内部を循環する間で最も低温となっている状態である。そのため室内熱交換器６で内気を効率よく冷却するには有利である。再熱除湿運転の際に内気の加熱と冷却とのいずれも効率よく行うことができるので、空調機１の効率を向上するには有利である。
【００２１】
再熱用熱交換器７と室外熱交換器４との両方で冷媒は十分に冷却される。空調機１を循環する冷媒の温度が全体的に低くなり冷媒の凝縮圧力が低下する。圧縮機９で冷媒を圧縮するために必要となる軸動力が減少するので、空調機１のエネルギ効率を向上するには有利である。また冷媒の凝縮圧力の低下にともない圧縮機９の軸動力が減少するので、空調機１における絞り膨張過程がより小さいエンタルピーから行うことができる。これにより蒸発過程が長くなり冷却能力を向上することができる。
【００２２】
図２に例示する空調機１は図１に例示する構成に加えて更に、再熱用熱交換器７と室内熱交換器６とを直接的に連通する第五ライン１５と、室外熱交換器４と圧縮機９とを連通する第六ライン１６とを備えている。これによりこの実施形態の空調機１は、再熱除湿運転に加えて暖房運転および冷房運転を行うことができる。図２では説明のため暖房運転の際に冷媒の流れる方向を矢印で示している。また図２において冷媒が通過しない流路は説明のため破線で示している。
【００２３】
空調機１が暖房運転を行う際にはまず冷媒が圧縮機９で圧縮されて高温高圧となり、第一ライン１０を経由して再熱用熱交換器７に供給される。再熱用熱交換器７は冷媒の熱を
利用して内気を加熱する。再熱用熱交換器７で熱を奪われた冷媒は、第五ライン１５を経由して室内熱交換器６に供給される。
【００２４】
再熱用熱交換器７に比較的高温な冷媒が供給されて、このときよりも温度の低い冷媒が室内熱交換器６に供給される。一方で室内ユニット３では比較的低温な内気が室内熱交換器６で加熱されて、これにより比較的高温となった内気が再熱用熱交換器７で加熱される。つまり冷媒の流れる方向と内気の流れる方向とが逆方向となる。
【００２５】
室内ユニット３では冷媒と内気との温度差が比較的小さくなる状態で、室内熱交換器６と再熱用熱交換器７とで段階的に熱交換が行われる。冷媒と内気とはいわゆる対向流熱交換システムを構成する。空調機１による内気の加熱を極めて効率よく行うことができるので、空調機１の効率を向上するには有利である。
【００２６】
第五ライン１５の途中部分に膨張弁や冷媒の分岐路などが設置されていないので、再熱用熱交換器７から排出される冷媒の全量が減圧されることなく室内熱交換器６に供給される。減圧にともない冷媒が気化してエネルギが消費される状態が第五ライン１５では発生しないため、室内熱交換器６による内気の加熱を効率よく行うことができる。
【００２７】
室内熱交換器６で熱を奪われて飽和液となる冷媒は、第三ライン１２を経由して室外熱交換器４に供給される。冷媒は第三ライン１２の途中の膨張弁１４により減圧されて低温低圧の湿り蒸気となる。室外熱交換器４では冷媒が外気により加熱される。室外熱交換器４で熱を供給されて気化した冷媒は、圧縮機９に供給される。空調機１が暖房運転を行う際には、冷媒は前述のとおり空調機１の内部を循環する構成を有している。
【００２８】
図２に例示する空調機１が冷房運転を行う際の状態を図３に例示する。図３では説明のため冷媒の流れる方向を矢印で示している。また図３において冷媒が通過しない流路は説明のため破線で示している。
【００２９】
図３に例示するように空調機１が冷房運転を行う際にはまず冷媒が圧縮機９で圧縮されて高温高圧の過熱蒸気となり、第六ライン１６を経由して室外熱交換器４に供給される。室外熱交換器４で熱を奪われて飽和液となる冷媒は、第三ライン１２を経由して室内熱交換器６に供給される。第三ライン１２の途中の膨張弁１４により減圧されて低温低圧の湿り蒸気となる冷媒が、室内熱交換器６に供給される。室内熱交換器６はこの冷媒を利用して内気を冷却して冷房を行う。室内熱交換器６で内気から熱を吸収した冷媒は第四ライン１３を経由して圧縮機９に供給される。空調機１が冷房運転を行う際には、冷媒は前述のとおり空調機１の内部を循環する構成を有している。
【００３０】
第一ライン１０等の流路には、開閉バルブや三方弁や四方弁などを適宜設置することができる。冷媒の流路の途中部分に設置される開閉バルブ等により、冷媒が流れる流路を切り替えて空調機１の再熱除湿運転の状態と暖房運転の状態と冷房運転の状態とを切り替えることができる。
【００３１】
空調機１の運転の際には、再熱除湿運転と冷房運転の間で運転が切り替えられることが多々ある。図２および図３に例示する実施形態によれば再熱除湿運転から冷房運転に切り替えると、圧縮機９から第一ライン１０と再熱用熱交換器７と第二ライン１１とを経由して室外熱交換器４に供給されていた冷媒が、圧縮機９から第六ライン１６を経由して室外熱交換器４に供給されることになる。室外熱交換器４から第三ライン１２と室内熱交換器６と第四ライン１３とを経由して圧縮機９に冷媒が循環する流路は、再熱除湿運転と冷房運転とのいずれの場合も共通する。空調機１を再熱除湿運転と冷房運転との間で切り替えた場合に、各ラインを流れる冷媒の流れ方向の反転が発生しない。冷媒の流れ方向が反転
するための時間を必要としないので、再熱除湿運転と冷房運転との間で空調機１の運転の切り替えを速やかに行うには有利である。
【００３２】
図１の実施形態に示すとおり本発明において、第五ライン１５と第六ライン１６とは必須の構成要件ではない。空調機１が再熱除湿運転のみを行う除湿専用機の場合は、図１に例示する実施形態を採用することができる。図１の実施形態に第五ライン１５および第六ライン１６を追加することで、空調機１は再熱除湿運転に加えて暖房運転と冷房運転とを行うことが可能となる。
【００３３】
たとえば図１の実施形態に第六ライン１６のみを追加することで、空調機１は再熱除湿運転と暖房運転と冷房運転とを行う構成にしてもよい。つまり第五ライン１５を備えない空調機１としてもよい。この空調機１が暖房運転を行う際には、圧縮機９で圧縮される冷媒は再熱用熱交換器７から第二ライン１１を経由して室外熱交換器４に供給される。
【００３４】
再熱除湿運転に加えて暖房運転と冷房運転とを切り替え可能とする空調機１は、具体的にはたとえば図４に例示するように構成することができる。図４に例示する空調機１は、圧縮機９と再熱用熱交換器７とを連通するパイプＰ１を備えている。このパイプＰ１の途中部分には弁１７ａが設置されている。この弁１７ａはパイプＰ１で構成される流路の開閉を行える構成を有していればよく、たとえば電磁弁で構成することができる。
【００３５】
パイプＰ１において圧縮機９と弁１７ａとの間の部分から分岐して再熱用熱交換器７に連通するパイプＰ２を空調機１は備えている。このパイプＰ２の途中部分には再熱用熱交換器７の側から順番に逆止弁１８ａと弁１７ｂとが設置されている。再熱用熱交換器７から圧縮機９に向かう方向にのみ冷媒を通過させる構成を逆止弁１８ａは有している。弁１７ｂは弁１７ａと同様にたとえば電磁弁で構成することができる。
【００３６】
パイプＰ２において逆止弁１８ａと弁１７ｂとの間の部分から分岐して室外熱交換器４に連通するパイプＰ３を空調機１は備えている。このパイプＰ３の途中部分には四方弁１９が設置されている。
【００３７】
室外熱交換器４と室内熱交換器６とを連通するパイプＰ４を空調機１は備えている。このパイプＰ４の途中部分には、室外熱交換器４の側から順番に配置される逆止弁１８ｂと受液器２０と膨張弁１４と逆止弁１８ｃとが設置されている。逆止弁１８ｂと逆止弁１８ｃとは、室外熱交換器４から室内熱交換器６に向かう方向にのみ冷媒を通過させる構成を有している。
【００３８】
パイプＰ４において逆止弁１８ｃと室内熱交換器６との間の部分から分岐して受液器２０に連通するパイプＰ５を空調機１は備えている。このパイプＰ５の途中部分には逆止弁１８ｄが設置されている。逆止弁１８ｃと室内熱交換器６との間の部分から受液器２０に向かう方向のみ冷媒を通過させる構成を逆止弁１８ｄは有している。
【００３９】
パイプＰ４において膨張弁１４と逆止弁１８ｃとの間の部分から分岐して室外熱交換器４に連通するパイプＰ６を空調機１は備えている。このパイプＰ６の途中部分には逆止弁１８ｅが設置されている。膨張弁１４と逆止弁１８ｃとの間の部分から室外熱交換器４に向かう方向のみ冷媒を通過させる構成を逆止弁１８ｅは有している。
【００４０】
室内熱交換器６と四方弁１９とを連通するパイプＰ７を空調機１は備えている。またこの四方弁１９と圧縮機９とを連通するパイプＰ８を空調機１は備えている。パイプＰ８の途中部分にはアキュムレータ２１が設置されている。
【００４１】
空調機１に設置されている弁１７ａ、弁１７ｂおよび四方弁１９を総称して切替機構２２ということがある。空調機１はこの切替機構２２により冷媒が流れる流路を適宜切り替えることができる。
【００４２】
次のこの実施形態の空調機１の運転状態について説明する。図５に例示するように空調機１が再熱除湿運転を行う際には切替機構２２の制御により弁１７ａを開の状態、弁１７ｂを閉の状態に制御する。また四方弁１９がパイプＰ２とパイプＰ３とを連通して、パイプＰ７とパイプＰ８とを連通する状態に制御される。図５において再熱除湿運転の際に冷媒が通過しない流路は説明のため破線で示している。
【００４３】
図５に例示する実施形態では弁１７ａが開の状態であり弁１７ｂが閉の状態である。そのため圧縮機９から排出される冷媒はパイプＰ２には流れ込まず弁１７ａを通過して再熱用熱交換器７に供給される。つまり圧縮機９と再熱用熱交換器７とを連通する第一ライン１０はパイプＰ１で構成される。再熱用熱交換器７では冷媒が内気を加熱する。
【００４４】
再熱用熱交換器７で熱を奪われた冷媒は、パイプＰ２と四方弁１９とパイプＰ３とを通過して室外熱交換器４に供給される。つまり再熱用熱交換器７と室外熱交換器４とを連通する第二ライン１１はパイプＰ２とパイプＰ３とで構成されることになる。室外熱交換器４では冷媒が外気により冷却される。
【００４５】
室外熱交換器４で熱を奪われた冷媒は、パイプＰ４を通過して室内熱交換器６に供給される。つまり室外熱交換器４と室内熱交換器６とを連通する第三ライン１２はパイプＰ４で構成されることになる。パイプＰ４を通過する途中の膨張弁１４で減圧されて低温低圧の湿り蒸気となった冷媒が室内熱交換器６に供給される。室内熱交換器６では冷媒が内気を冷却する。
【００４６】
室内熱交換器６で内気から熱を吸収した冷媒は、パイプＰ７と四方弁１９とパイプＰ８とアキュムレータ２１とを通過して圧縮機９に供給される。つまり室内熱交換器６と圧縮機９とを連通する第四ライン１３はパイプＰ７とパイプＰ８とで構成される。圧縮機９では冷媒が加圧されて高温高圧の過熱蒸気となる。
【００４７】
図６に例示するように空調機１が暖房運転を行う際には切替機構２２の制御により弁１７ａを開の状態、弁１７ｂを閉の状態に制御する。また四方弁１９がパイプＰ２とパイプＰ７とを連通して、パイプＰ３とパイプＰ８とを連通する状態に制御される。図６において暖房運転の際に冷媒が通過しない流路は説明のため破線で示している。
【００４８】
圧縮機９で圧縮されて高温高圧となる冷媒はパイプＰ１で構成される第一ライン１０を経由して再熱用熱交換器７に供給される。再熱用熱交換器７では冷媒が内気を加熱する。
【００４９】
再熱用熱交換器７で熱を奪われた冷媒は、パイプＰ２と四方弁１９とパイプＰ７を通過して室内熱交換器６に供給される。つまり再熱用熱交換器７と室内熱交換器６とを連通する第五ライン１５は、パイプＰ２とパイプＰ７とで構成されることになる。再熱除湿運転の際に第二ライン１１または第四ライン１３として利用されていた一部のパイプＰ２、Ｐ７が四方弁１９の切り替えにより、暖房運転の際には第五ライン１５として利用される。室内熱交換器６では冷媒が内気を加熱する。
【００５０】
室内熱交換器６で熱を奪われた冷媒は、パイプＰ５とパイプＰ４の一部とパイプＰ６とを通過して室外熱交換器４に供給される。つまり室内熱交換器６と室外熱交換器４とを連通する第三ライン１２はパイプＰ４の一部と、パイプＰ５とパイプＰ６とで構成されことになる。膨張弁１４が設置されているパイプＰ４の一部を冷媒が通過するので、冷媒は低
温低圧となり室外熱交換器４に供給される。室外熱交換器４では冷媒が外気により加熱される。
【００５１】
再熱除湿運転と暖房運転の際に第三ライン１２を構成するパイプＰ４、パイプＰ５およびパイプＰ６には四つの逆止弁１８ｂ、１８ｃ、１８ｄ、１８ｅが配置されている。この構成により第三ライン１２を流れる冷媒の流れ方向が反転した場合であっても、冷媒は受液器２０を通過した後に膨張弁１４を通過する流れ方向が維持される。
【００５２】
室外熱交換器４で熱を吸収した冷媒は、パイプＰ３と四方弁１９とパイプＰ８とアキュムレータ２１とを通過して圧縮機９に供給される。つまり室外熱交換器４と圧縮機９とを連通する第六ライン１６はパイプＰ３とパイプＰ８とで構成されることになる。
【００５３】
図７に例示するように空調機１が冷房運転を行う際には切替機構２２の制御により弁１７ａを閉の状態、弁１７ｂを開の状態に制御する。また四方弁１９がパイプＰ２の一部とパイプＰ３とを連通して、パイプＰ７とパイプＰ８とを連通する状態に制御される。図７において冷房運転の際に冷媒が通過しない流路は説明のため破線で示している。
【００５４】
図７に例示する実施形態では弁１７ａが閉の状態であり弁１７ｂが開の状態である。そのため圧縮機９から排出される冷媒はパイプＰ１に流れ込まず弁１７ｂを通過して室外熱交換器４に供給される。つまり圧縮機９と室外熱交換器４とを連通する第六ライン１６はパイプＰ２の一部とパイプＰ３とで構成されることになる。室外熱交換器４では冷媒が外気により冷却される。
【００５５】
室外熱交換器４で熱を奪われた冷媒は、パイプＰ４を通過して室内熱交換器６に供給される。つまり室外熱交換器４と室内熱交換器６とを連通する第三ライン１２はパイプＰ４で構成されることになる。パイプＰ４を通過する途中の膨張弁１４で減圧されて低温低圧となった冷媒が室内熱交換器６に供給される。室内熱交換器６では冷媒が内気を冷却する。
【００５６】
室内熱交換器６で内気から熱を吸収した冷媒は、パイプＰ７と四方弁１９とパイプＰ８とアキュムレータ２１とを通過して圧縮機９に供給される。つまり室内熱交換器６と圧縮機９とを連通する第四ライン１３はパイプＰ７とパイプＰ８とで構成される。
【００５７】
図４〜図７に例示するように本実施形態の空調機１は再熱除湿運転と暖房運転と冷房運転とを行うことができる。図４〜図７に例示する実施形態は例示に過ぎず、弁１７や逆止弁１８は適宜追加したり取り除いたりすることができる。またパイプＰのレイアウトも適宜変更することができる。たとえば逆止弁１８の代わりに電磁弁等の開閉を制御できる弁１７を設置しても本発明と同様の効果を得ることができる。
【符号の説明】
【００５８】
１     空調機
２     室外ユニット
３     室内ユニット
４     室外熱交換器
５     室外送風機
６     室内熱交換器
７     再熱用熱交換器
８     室内送風機
９     圧縮機
１０   第一ライン
１１   第二ライン
１２   第三ライン
１３   第四ライン
１４   膨張弁
１５   第五ライン
１６   第六ライン
１７、１７ａ、１７ｂ 弁
１８、１８ａ、１８ｂ、１８ｃ、１８ｄ      逆止弁
１９   四方弁
２０   受液器
２１   アキュムレータ
２２   切替機構
Ｐ、Ｐ１〜Ｐ８       パイプ
【図１】
2019158311.tif 000003
【図２】
2019158311.tif 000004
【図３】
2019158311.tif 000005
【図４】
2019158311.tif 000006
【図５】
2019158311.tif 000007
【図６】
2019158311.tif 000008
【図７】
2019158311.tif 000009